(57)【特許請求の範囲】
【請求項１】
デザイン素材となる複数の図形の画像データ及びこの図形のカットラインデータが格納された記憶手段から、これらデザイン素材の図形の画像データ及びカットラインデータを読み出す読み出し手段と、読み出された図形を表示する表示手段と、表示された図形の一つを選択する図形選択手段と、選択された図形のカットラインデータを記憶する記憶手段を有することを特徴とする装飾用粘着シートのカットラインデータ作成装置。
【請求項２】
請求項１記載の装飾用粘着シートのカットラインデータ作成装置が、更に複数の図形の合成を行う画像合成手段を有することを特徴とする装飾用粘着シートのカットラインデータ作成装置。
【請求項３】
デザイン素材となる複数の図形の画像データ及びこの図形のカットラインデータが格納された記憶手段から、これらデザイン素材の図形の画像データ及びカットラインデータを読み出す読み出し手段と、読み出された図形を表示する表示手段と、表示された図形を選択する図形選択手段と、選択された図形のカットラインデータを記憶する記憶手段と、選択された図形のカットラインデータに基づき装飾用粘着シートをカッティングするカッティング手段を有することを特徴とする装飾用粘着シートのカットマシン。
【請求項４】
デザイン素材となる複数の図形の一つを指定する図形指定手段、図形指定手段による指定に基づいてデザイン素材となる複数の図形のカットラインデータが格納された記憶手段から指定された図形のカットラインデータを呼び出す呼び出し手段と、呼び出されたカットラインデータに基づき装飾用粘着シートをカッティングするカッティング手段を有することを特徴とする装飾用粘着シートのカットマシン。
【請求項５】
デザイン素材となる複数の図形の画像データ及びこの図形のカットラインデータが格納された記憶手段から、これらデザイン素材の図形の画像データ及びカットラインデータを読み出すステップ、読み出された図形を表示するステップ、表示された図形の内一つを選択するステップ、及び選択された図形のカットラインデータを記憶するステップを有することを特徴とする装飾用粘着シートのカットラインデータ作成方法。
【請求項６】
デザイン素材となる複数の図形の画像データ及びこの図形のカットラインデータが格納された記憶手段から、これらデザイン素材の図形の画像データ及びカットラインデータを読み出すステップ、読み出された図形を表示するステップ、表示された図形の内一つを選択、表示するステップ、再度デザイン素材の図形を読み出し、表示するステップ、表示された図形の内前記選択された図形以外の１の図形を選択し、表示するステップ、これら複数の選択された図形を画像合成するステップ及び画像合成された図形のカットラインデータを記憶するステップを有することを特徴とする装飾用粘着シートのカットラインデータ作成方法。
【請求項７】
デザイン素材となる複数の図形の画像データ及びこの図形のカットラインデータが格納された記憶手段から、これらデザイン素材の図形の画像データ及びカットラインデータを読み出すステップ、読み出された図形を表示するステップ、表示された図形を選択するステップ、選択された図形のカットラインデータを記憶するステップ及び記憶された選択図形のカットラインデータに基づき装飾用粘着シートをカッティングするステップを有することを特徴とする装飾用粘着シートのカット方法。
【請求項８】
デザイン素材となる複数の図形の一つを指定するステップ、指定された図形のカットラインデータをデータ記憶手段から呼び出すステップ、及び呼び出されたカットラインデータに基づき装飾用粘着シートをカッティングするステップを有することを特徴とする装飾用粘着シートのカット方法。
【請求項９】
請求項１記載の選択された図形のカットラインデータ記憶手段に記憶されたデータを、装飾用粘着シートのカットマシンにより読み取り、読み取ったカットラインデータに基づき装飾用粘着シートをカッティングする装飾用粘着シートのカット方法。
【請求項１０】
デザイン素材となる複数の図形の画像データ及び当該図形に対応するカットラインデータと、請求項５又は６項記載の装飾用粘着シートのカットラインデータ作成方法の各手順をコンピュータに実行させるために必要なプログラムを記憶したコンピュータ読み取り可能な記憶媒体。
【請求項１１】
デザイン素材となる複数の図形の画像データ及び当該図形に対応するカットラインデータと、請求項７又は８項記載の装飾用粘着シートのカット方法の各手順をコンピュータに実行させるために必要なプログラムを記憶したコンピュータ読み取り可能な記憶媒体。
【請求項１２】
図形を表示するステップ、表示された図形の各色に対応するカットラインを設定するステップ、各色のカットラインを全て含む前記図形のカットライン及び前記図形の各色毎のカットラインを記憶するステップ、前記各色毎のカットラインに基づいた全色からなる図形の画像データ及び前記各色に対応して設定されたカットラインに基づく各色毎の図形の画像データを記憶するステップ、及びカットラインデータに基づく全色の図形及び各色毎の図形及び／又はカットラインを一覧表示するべく調整するステップを有することを特徴とするカットラインデータの作成方法。
【請求項１３】
請求項１０又は請求項１１に記載の記憶媒体において、デザイン素材となる複数の図形の画像データ及び当該図形に対応するカットラインデータが請求項１２のカットラインデータ作成方法により作成されたデータであることを特徴とする記憶媒体。
【発明の詳細な説明】
【０００１】
【発明の属する技術分野】
本発明は、商店のウインドウなどのディスプレイに用いられる装飾用デザインをデザイナーに依頼することなく簡便に作成すことができると共にこの作成されたデザインに対応する装飾用粘着シートのカットラインデータも同時に得ることができる装飾用粘着シートのカットラインデータ作成装置及びカットラインデータ作成方法、並びにカットラインデータに基づき簡便に装飾用粘着シートをカッティングするカットマシン及びこれらの方法及び装置で用いられるカットラインデータ及び画像データが格納された記憶媒体、記憶媒体に格納されたカットラインデータ及び画像データの作成方法に関する。
【０００２】
【従来の技術】
商店のウインドウやガラスドアなどのディスプレイ、定休日、開店時間、販売促進用のキャッチコピーなどの表示、室内壁面の装飾、建築現場を取り囲むフェンスのディスプレイなどを例にとってみると、従来ペインティングによる方法が広く行われている。またこのペインティング法とともに、裏に粘着層を有する着色シート又はテープ（本明細書では、これらを合わせて「装飾用粘着シート」という）を装飾デザインの図形及び色彩に合わせてカットし、カットされた複数の色の図形を被装飾体であるウインドウ或いは壁面などにデザインどおりに貼り付ける方法も、従来から広く採用されている。後者の方法は、ペインティング法と異なり、簡単に貼り付け、引き剥がしができ、ディスプレイ、表示などの施工、変更を短時間且つ簡単に行うことができ、また仕上がりにおいてムラがないという極めて優れた利点がある。このため、装飾用粘着シートを用いる方法がペインティング法に代わり近年ディスプレイ或いは装飾方法として広く採用されるようになってきている。
【０００３】
しかしながら、例えばショーウインドウのディスプレイについてみると、発注者の要望に応じ、デザイン原画をデザイナーが新たに作成するか、予め用意されたデザイン集の中から適当なデザイン原画が選択され、この新たに作成されたデザイン原画或いはデザイン集から選択されたデザイン原画に基づいて施工業者が各色毎に装飾用粘着シートをカットし、このカットされた装飾用粘着シートを原画どおりにショーウインドウなどに貼り付けているのが現状である。この装飾用粘着シートのカッティングには、カットナイフを用い手工的に行うことも可能であるが、これには熟練した技術及び長時間の作業が必要とされる。このため、原画をデジタルデータ化し、コンピュータ画面上に原画を表示し、デザイン原画の色毎に装飾用粘着シートをカッティングするためのカットラインを図形の輪郭線や図形内の各色の境界線に応じて設定し、必要に応じこのカットラインのデータをフレキシブル磁気ディスクなどの記憶媒体に記憶させ、この各色毎のカットラインデータをカットマシンに取り込み装飾用粘着シートを各色毎にカッティングし、このカッティングされた図形片を組み合わせ貼り付けることによりディスプレイなどの施工が行われている。
【０００４】
ところで、デジタルデータ化されたデザイン原画をコンピュータ画面上に表示し、表示された画像の輪郭線及び色境界線から各色毎のアウトラインデータを得ることは、コンピュータ処理により簡単にできる。しかし、このようにして得られたアウトラインデータはカットマシンの刃の動きを想定したものではないため、文字データの場合アウトラインデータが得られないという問題がある。また、図形のアウトラインデータを装飾用粘着シートのカットラインデータとして用い、カットマシンにより装飾用粘着シートをカッティングした場合には、カッティングした各色毎のシートの輪郭がギザギザとなったり、図形が例えば細すぎてカットマシンが充分に対応できないなどの問題がある。このため、アウトラインデータによるカットでは施工後のディスプレイの出来映え、施工の容易さの観点から充分なものが得られないことは経験上既に広く知られている。したがって、装飾用粘着シートをカットマシンによりカッティングする場合には、デザイン原画などをコンピュータディスプレイ上に表示し、手作業で各色毎のカットラインを設定、入力している。
【０００５】
しかし、このカットラインの設定、入力は、カットマシンの刃の動きを想定しながら、また原図にできるだけ忠実に、且つショーウインドウのディスプレイなどとして用いる際の見栄えなどをも想定しながら行うことが必要で、綺麗且つ必要十分なカットラインを設定するには熟練した技術が必要とされる。また、施工業者毎或いは施工毎に原画に合わせてカットラインを入力するのでは、カットラインの入力にも多大の労力が必要とされる。更に原画の使用回数もデザイナーとの契約で制限されるうえ、発注者の要望に応じた原画の改変も制限されている。しかも、施工業者は、通常デザイン原画の作成をコンピュータ上で行うための技術、ノウハウを有しないため、施工業者が発注者からの要望に応じ簡便にデザイン原画を作成することは困難であるし、また上記したようにデザイン原画に応じてカットラインを設定、入力することも煩雑且つ多大な労力を必要とする。ましてや、デザイン原画の作成技術、カットラインの設定技術、カットマシンを持たない企業、商店においては、自身でショーウインドウなどの装飾や文字表示などを、装飾用粘着シートを用いて簡便且つ綺麗に行うことは至難の芸である。
【０００６】
【発明が解決しようとする課題】
このような状況に鑑み、本発明は、カットラインが入力された高品質のデザイン原画を簡便に作成することができる、装飾用粘着シートのカットライン作成装置及び作成方法、更には前記方法により得られたカットラインデータに基づいて装飾用粘着シートを簡便にカッティングする装置及び方法を提供することを目的とするものである。
【０００７】
また、本発明は、上記装置及び方法に好適に用いられる、デザイン素材となる複数のイラスト或いはワード図形のカットラインデータ及び必要であれば更にカットラインデータに基づいて作成された画像データを記憶する記憶媒体を提供することを目的とするものである。
【０００８】
また、本発明は、図形のカットラインデータの作成方法を提供することをも目的とするものである。
【０００９】
【課題を解決するための手段】
本発明は、以下の（１）乃至（１３）の構成を有するものである。
（１）デザイン素材となる複数の図形の画像データ及びこの図形のカットラインデータが格納された記憶手段から、これらデザイン素材の図形の画像データ及びカットラインデータを読み出す読み出し手段と、読み出された複数の図形を表示する表示手段と、表示された図形の一つを選択する図形選択手段と、選択された図形のカットラインデータを記憶する記憶手段を有することを特徴とする装飾用粘着シートのカットラインデータ作成装置。
【００１０】
（２）上記（１）記載の装飾用粘着シートのカットラインデータ作成装置が、更に複数の図形の合成を行う画像合成手段を有することを特徴とする装飾用粘着シートのカットラインデータ作成装置。
【００１１】
（３）デザイン素材となる複数の図形の画像データ及びこの図形のカットラインデータが格納された記憶手段から、これらデザイン素材の図形の画像データ及びカットラインデータを読み出す読み出し手段と、読み出された図形を表示する表示手段と、表示された図形を選択する図形選択手段と、選択された図形のカットラインデータを記憶する記憶手段と、選択された図形のカットラインデータに基づき装飾用粘着シートをカッティングするカッティング手段を有することを特徴とする装飾用粘着シートのカットマシン。
【００１２】
（４）デザイン素材となる複数の図形の一つを指定する図形指定手段、図形指定手段による指定に基づいてデザイン素材となる複数の図形のカットラインデータが格納された記憶手段から指定された図形のカットラインデータを呼び出す呼び出し手段と、呼び出されたカットラインデータに基づき装飾用粘着シートをカッティングするカッティング手段を有することを特徴とする装飾用粘着シートのカットマシン。
【００１３】
（５）デザイン素材となる複数の図形の画像データ及びこの図形のカットラインデータが格納された記憶手段から、これらデザイン素材の図形の画像データ及びカットラインデータを読み出すステップ、読み出された図形を表示するステップ、表示された図形の内一つを選択するステップ、及び選択された図形のカットラインデータを記憶するステップを有することを特徴とする装飾用粘着シートのカットラインデータ作成方法。
【００１４】
（６）デザイン素材となる複数の図形の画像データ及びこの図形のカットラインデータが格納された記憶手段から、これらデザイン素材の図形の画像データ及びカットラインデータを読み出すステップ、読み出された図形を表示するステップ、表示された図形の内一つを選択し、表示するステップ、再度デザイン素材の図形を読み出し、表示するステップ、表示された図形の内前記選択された図形以外の１の図形を選択し、表示するステップ、これら複数の選択された図形を画像合成するステップ、及び画像合成された図形のカットラインデータを記憶するステップを有することを特徴とする装飾用粘着シートのカットラインデータ作成方法。
【００１５】
（７）デザイン素材となる複数の図形の画像データ及びこの図形のカットラインデータが格納された記憶手段から、これらデザイン素材の図形の画像データ及びカットラインデータを読み出すステップ、読み出された図形を表示するステップ、表示された図形を選択するステップ、選択された図形のカットラインデータを記憶するステップ、及び記憶された選択図形のカットラインデータに基づき装飾用粘着シートをカッティングするステップを有することを特徴とする装飾用粘着シートのカット方法。
【００１６】
（８）デザイン素材となる複数の図形の一つを指定するステップ、指定された図形のカットラインデータをデータ記憶手段から呼び出すステップ、及び呼び出されたカットラインデータに基づき装飾用粘着シートをカッティングするステップを有することを特徴とする装飾用粘着シートのカット方法。
【００１７】
（９）上記（１）記載の選択された図形のカットラインデータ記憶手段に記憶されたデータを、装飾用粘着シートのカットマシンにより読み取り、読み取ったカットラインデータに基づき装飾用粘着シートをカッティングする装飾用粘着シートのカット方法。
【００１８】
（１０）デザイン素材となる複数の図形の画像データ及び当該図形に対応するカットラインデータと、上記（５）又は（６）記載の装飾用粘着シートのカットラインデータ作成方法の各手順をコンピュータに実行させるために必要なプログラムを記憶したコンピュータ読み取り可能な記憶媒体。
【００１９】
（１１）デザイン素材となる複数の図形の画像データ及び当該図形に対応するカットラインデータと、上記（７）又は（８）記載の装飾用粘着シートのカット方法の各手順をコンピュータに実行させるために必要なプログラムを記憶したコンピュータ読み取り可能な記憶媒体。
【００２０】
（１２）図形を表示するステップ、表示された図形の各色に対応するカットラインを設定するステップ、各色のカットラインを全て含む前記図形のカットライン及び前記図形の各色毎のカットラインを記憶するステップ、前記各色毎のカットラインに基づいた全色からなる図形の画像データ及び前記各色に対応して設定されたカットラインに基づく各色毎の図形の画像データを記憶するステップ、及びカットラインデータに基づく全色の図形及び各色毎の図形及び／又はカットラインを一覧表示するべく調整するステップを有することを特徴とするカットラインデータの作成方法。
【００２１】
（１３）上記（１０）又は（１１）に記載の記憶媒体において、デザイン素材となる複数の図形の画像データ及び当該図形に対応するカットラインデータが上記（１２）のカットラインデータ作成方法により作成されたデータであることを特徴とする記憶媒体。
【００２２】
【発明の実施の形態】
以下、図面を参照して、本発明を更に詳細に説明する。
図１は、本発明の装飾用粘着シートのカットラインデータ作成装置の第１実施例の概略構成ブロック図である。１１は、ディスプレイ用の原画を作成するためのデザイン素材であるイラスト図形及び／又はワード図形が、デジタルの画像データとして格納された、光ディスク、光磁気ディスクなどのＣＤ−ＲＯＭである。このＣＤ−ＲＯＭには、図形の画像データとともに図形のカットラインデータ、及び必用であればこの画像データ及びカットラインデータの呼び出しプログラム、合成プログラム及びその他本発明の各ステップの実行を行うために必用なプログラムが格納されている。このＣＤ−ＲＯＭは、フレキシブル磁気ディスク、磁気テープ、不揮発性メモリカード、ハードディスク、コンピュータのハードメモリなどの他の形態の記憶媒体であってもよい。１２は、ショーウインドウのディスプレイ等に使用される、本発明の方法で作成されたデザイン原画のカットラインデータを必要に応じ画像データとともに保存、格納するためのメモリである。このメモリは、フレキシブル磁気ディスク、磁気テープ、光ディスク、光磁気ディスク、ハードディスク装置、メモリーカード、或いはコンピュータのハードメモリなど、画像データ、カットラインデータを記憶することができるものであればいずれのものでも良い。１３は、表示装置であり、ＣＲＴ又は液晶表示パネルなどからなる。１４は、デザイン原画及びこの原画のカットラインデータを作成するためのプログラムを実行するためのＣＰＵであり、１５は、キーボード及びマウスなどからなり、ＣＰＵ１４へユーザが種々の指示を入力するために使用する入力装置である。１６は、ＣＰＵ１４に種々のワークを実行させるプログラムを記憶するメモリであり、１７はデザイン原画となる合成画像を含めた画像をプリントするために用いられるプリンタである。なお、更にＣＰＵ１４には、必要に応じ、装飾用粘着シートのカットマシン１８が接続されている。
【００２３】
図２は、本実施例の装置の動作フローチャートを示す。まず、多数のデザイン素材が格納されたＣＤ−ＲＯＭ１１の内容はＣＰＵ１４により読み取られ、ＣＤ−ＲＯＭ内に格納されたプログラムに従って表示装置１３にデザイン素材の表示がなされる（ステップ２１）。この表示形式、表示内容、表示順序などは任意のものであってよい。また、ＣＤ−ＲＯＭへのデザイン素材の格納の際には、デザイン内容に応じて図形を幾つかのグループにグループ分けし、各グループには主タイトル、主タイトルの内容を更に細かく分けたサブタイトルなどを付しておき、後での検索がし易いようにしておくことが好ましい。更に、各図形にはコード番号、検索用のキーワードを付しておけば、コード検索或いはキーワード検索も可能となるので好ましい。本実施例では、主タイトルとして、「１月」、「２月」、「３月」、「４月」、「５月」、「６月」、「７、８月」、「９月」、「１０月」、「１１月」、「１２月」、「オールシーズン」が付され、サブタイトルとして、各月に該当する行事名や「春」、「夏」、「秋」、「冬」などが採用されている（図３）。このサブタイトルの下に前記行事等に該当するデザイン素材となる図形が格納されている（図４）。
【００２４】
上記のとおり図３及び図４はデザイン素材の表示の一形式を示すものである。この図３及び図４に示された例では、まず上記した主タイトル名とサブタイトル名が一覧でインデックス表示され、図３のサブタイトルのキーワードボタンをクリックすることにより、図４に示される、サブタイトル内のイラスト図形及びワード図形が表示されるようにされている。また、いきなりデザイン素材のインデックス表示をするのではなく、「ＣＤ−ＲＯＭにより検索を行う」か、「コード番号により検索を行う」か、或いは「キーワードにより検索を行う」かの画面を表示するステップを設け、そのいずれから検索を行うかの選択を行い、「ＣＤ−ＲＯＭにより検索を行う」を選択した場合、図３の主タイトル及びサブタイトルのインデックス表示がなされるようにしてもよい。この場合、「コード番号により検索を行う」或いは「キーワードにより検索を行う」を選択した場合には、コード番号或いはキーワードを入力することにより、目的とする特定の図形を呼び出せるようにすればよい。
【００２５】
インデックス表示の一例である図３の実施例では、主タイトル「１月」には、サブタイトルとして「お正月」及び「成人の日」のキーワードボタンが表示される。このとき「お正月」のキーワードボタンをクリックすると、図４に示されたお正月をテーマに描かれたイラスト図形とワード図形を表示したサムネイル一覧ページに移行する。お正月のサムネイル一覧ページには、「松飾り」「かがみもち」「獅子舞」「凧」「羽子板・こま」などのイラスト図形と「Ａ  ＨＡＰＰＹＮＥＷ  ＹＥＡＲ」「あけましておめでとうございます」「謹賀新年」「賀正」「お年玉」「お正月」などのワード図形が表示される。これらのイラスト図形及びワード図形は多色または単色からなるものである。
【００２６】
ここで、選択されるデザイン素材の決定が行われる（ステップ２２）。例えば、図４の画面で「獅子舞」のイラストを選択する場合には、「獅子舞」のイラスト画面をクリックすればよい。これにより、図５に示されるように、「獅子舞」のイラスト図形が大きく且つ詳細に表示される。この獅子舞のイラスト図形には、２種のイラストが含まれているが、この内の１種又は全体を選択、クリックして次のステップに進むボタンをクリックすることにより、Ａｄｏｂｅ  Ｉｌｌｕｓｔｒａｔｏｒをはじめとするグラフィックソフトのアプリケーションが起動し、選択した「獅子舞」のイラストが表示される（ステップ２３）。ＣＤ−ＲＯＭには、イラスト図形及びワード図形の何れについても全色からなる図形のカットラインデータと各色毎のカットラインデータとこのカットラインデータに基づく全色の図形の画像データ及び各色毎のカット後の図形の画像データが格納されている。例えば、２つの獅子舞のうち左の図形のみが選択されると、図６の画面が表示される。
【００２７】
この「獅子舞」のイラストは、胴体は緑、顔は赤、耳、眉、鼻の輪郭及び歯の輪郭は黒、胴体の螺旋模様、目の中、歯は白の４種類の色から構成されている。グラフィックソフトにより画像を選択表示した場合、選択されたイラスト図形或いはワード図形の表示とともに、カットラインデータによりカットされたカット後の色別の図形が同時に表示されるようにプログラムされており、図６のように全色図形（ａ）、胴体６１の緑の図形（ｂ）、顔６２の赤の図形（ｃ）、白の図形（ｄ）、耳６３、眉６４、鼻の輪郭６５及び歯の輪郭６６の黒の図形（ｅ）が縦一列に階層化一覧表示される。勿論例えばワード図形の場合などにはイラスト図形が単色からなる場合もあり、このような場合には単色の図形のみが表示される。このとき各々の色図形に対応するカットラインデータもグラフィックソフトにより同時に取り込まれる。なお、選択した図形の表示は全色の図形（ａ）のみであっても勿論かまわない。選択、表示されたイラスト図形或いはワード図形の内必要な図形を新規ページにコピーして貼り付ける（ステップ２３）。コピーされた新しい図形は、必要であれば大きさ、図形の色を変更するなどの編集を行うことができる。
【００２８】
次いで、この選択され、表示された図形（実施例では「獅子舞」のイラスト図形）と更に他の図形とを組み合わせる必要があるかどうかが判断され（ステップ２６）、その必要がなければデータを保存するか否かの判断がなされ（ステップ２７）、保存の必要があれば、データのメモリ１２への保存が行われる（ステップ２８）。ＣＰＵにカットマシンが接続されている場合には、必要であればデータを保存することなくカットマシンにデータを移送し、カットラインデータの作成を終了することもできる。また他の図形を更に選択する必要がある場合には、ステップ２１〜２３が繰り返される。このステップ２１〜２３が繰り返され、次の図形が選択され、表示された場合、新たな図形を先の図形と合成するか否かを判断し（ステップ２４）、合成が必用な場合、例えば先の図形のページに、新たに選択された図形をコピーして、貼り付けた後、必要であれば合成された各デザイン素材の大きさ、色、各デザイン素材の配置調整などの編集が行われ、デザイン素材の合成工程を終了する（ステップ２５）。更に他のデザイン素材を組み合わせる必要があるか否かが再度判断され（ステップ２６）、他のデザイン素材を選択する必要がなければ、データを保存するか否かの判断がなされ（ステップ２７）、データを保存する必要があればデータのメモリ１２への保存が行われる（ステップ２８）。
【００２９】
一例として、図８に示すように、先の獅子舞の図形に例えば「謹賀新年」のワード図形を組み合わせてデザイン原画を作成する場合を例示すると、上記したように選択・表示された獅子舞の図形のデータを必要であればコンピュータメモリに保存、格納しておき、再度インデックス表示に返るか、コード検索或いはワード検索により「謹賀新年」のワード図形を選択し、上記と同様の工程を経て先の「獅子舞」のイラストが貼り付けられたページに「謹賀新年」の図形を貼り付ける。その後、獅子舞のイラスト及び謹賀新年の個々のワードの位置、大きさを調整して、デザイン原画の作成を終了する。
【００３０】
図形の編集の際の色の変更は、装飾用粘着シートの色として良く用いられている色を体系的に表示したカラーパレット〔例えば、ＮＯＣＳ２５００（登録商標）〕を表示させ、カラーパレットの色を選択することにより行うことが可能である。このイラスト或いはワード図形中の各色を変更表示することにより、色を変更によるデザイン上の色バランス、デザインの良否、印象などを確認することも可能となる。色の変更は、カラーグラフィックスソフトに組み込まれた色調整ソフトにより行なってもよいことは勿論のことである。また、上記各工程のいずれの段階においても、必要に応じ表示画面をプリンタ１７によりプリントアウトすることができる。
【００３１】
こうして作成されたデザイン原画のカットラインデータを、必要であれば画像データとともに磁気ディスクなどの記憶手段に記憶させる（ステップ２８）。記憶させたカットラインデータはカットマシンによる装飾用粘着シートのカットラインデータとして用いられる。
【００３２】
なお、装飾用粘着シートのカッティングは、ＣＰＵ１４にカットマシンが接続されていない場合には、フレキシブル磁気ディスクなどのメモリに保存、格納されたデザイン原画のカットラインデータを、カットマシンのデータ読み取り部で読み取らせ、このデータに基づいて各色毎にカッティングが行われる。また、ＣＰＵ１４にカットマシン１８が接続されている場合には、必要に応じ、作成された各色のカットラインデータをカットマシンに送り、この送られたデータを必要に応じカットマシンのメモリに保存、格納しておき、この直接ＣＰＵ１４から送られたデータ或いはカットマシンのメモリに保存、格納されたカットラインデータに基づき装飾用粘着シートのカッティングが行われる。また、カッティングは、図７の（ａ）〜（ｅ）のいずれのラインによっても可能である。したがって、例えば、７図（ａ）のラインを用いてカッティングを行えば、ある色の装飾用粘着シートに同一色からなる胴体部、顔部、耳、眉、目、鼻、歯、螺旋模様のいずれもがそろったカット図形が形成され、図７の（ｂ）のラインデータを選択すれば、胴体部のみのカット図形が形成されることになる。
【００３３】
以上、表示装置でデザイン素材の表示を行った状態でデザイン素材を選択する方法を詳しく述べたが、ＣＤ−ＲＯＭに格納されたデザイン素材であるイラスト図形、及びワード図形をデザイン素材集として予め印刷しておき、各図形に図形のコード番号を印刷しておき、このコード番号を入力してやるか、或いは図形にキーワードを付与しておき、このキーワードを入力することにより直接選択したデザイン素材を表示装置に表示するようにしても良い。このような直接表示法としては、例えば上記したように初期画面に「ＣＤ−ＲＯＭにより検索を行う」か、「コード番号により検索を行う」か、或いは「キーワードにより検索を行う」かの画面を表示するステップを挿入し、このステップで「コード番号により検索を行う」か、或いは「キーワードにより検索を行う」かのキーボタンを選択するようにすることの他、他の工程中でもコード番号による検索、或いはキーワードによる検索を行うことができるようプログラムしておけばよい。さらには、プログラムを起動した状態で単にキーボードなどからコード番号或いはキーワードなどを入力し、送信することにより、目的とする図形を直接呼び出すようにしても良く、目的とする図形を直接画面上に呼び出す方法は任意の方法で良い。
【００３４】
また、第２の実施例として、画像合成を伴わない場合に、カッティングした装飾用粘着シートを簡便に得る方法及び装置を図９を参照して説明する。
【００３５】
図９（ａ）に示されたカットマシン９０には、装飾用粘着テープのカット部（図示せず）、デザイン素材のカットラインデータ及び必要に応じ画像データが格納されたフレキシブル磁気ディスク９１等の記憶媒体を読み取るための読み取り部９２、入力部９３、エンターキー９４、スタートキー９５、入力されたコード番号の表示部９６、装飾用粘着シート装着部（図示せず）が設けられている。
【００３６】
まず、デザイン素材のイラスト図形及びワード図形が、コード番号、必要であれば主タイトル、サブタイトルなどのインデックス、キーワードなどが印刷されている見本帳から、好きなイラストパターンやワードパターン、バーゲンセールのキャッチコピーなど適宜の図形を１つ選ぶ。次いで、デザイン素材のカットラインデータ及び必要に応じ画像データが保存、格納されたフレキシブル磁気ディスク９１をマシンの読み取り部９２に装着し、例えば選んだイラストパターンのコード番号を入力部９３のテンキーから入力し、表示部９６に表示された番号により入力したコード番号を確認する。コード番号が正しければエンターキー９４を押す〔図９（ａ）〕。次いで、装飾用粘着シート１００をマシン９０にセットし、スタートキー９５を押す〔図９（ｂ）〕。装飾用粘着シート９８のカットが終了したら、シート９８をノブ９７を回転することにより取り出す〔図９（ｃ）〕。なお、図９（ｃ）においては、取り出された装飾用粘着シートは、カットラインデータに基づき周囲に切断線が入れられた文字部が黒く表示されているが、本来この着色部の色は周りの色と同じであり、カットされた図形形状が明確となるよう便宜上黒く表示したものである。
【００３７】
この装飾用粘着シート１００は、図１０に示されるように、合成樹脂シート層１０１、粘着剤層１０２及び剥離紙１０３からなり、カッティングシート（登録商標）として既に市販されており、本発明においてはこの市販のカッティングシートを装飾用粘着シート１００として用いることができる。また、装飾用粘着シートのカッティングは、通常、合成樹脂シート層１０１及び粘着剤層１０２は切断するが、剥離紙１０３は切り離さない程度の深さとされる。
【００３８】
カッティングが終了した装飾用粘着シートは、ディスプレイやキャッチコピーとして不要な合成樹脂シート層を剥離除去し、必要図形部のみが残される。この残された図形部をアプリケーションシート１０４で覆う〔図９（ｄ）〕。
【００３９】
次いで、アプリケーションシート１０４と図形部を十分に密着させた後、アプリケーションシート１０４を剥がす。このときアプリケーションシート１０４は表面に弱い粘着層を有しているため、剥離紙上の合成樹脂シート層１０１からなる所望の図形は、アプリケーションシート１０４に貼着し、アプリケーションシート１０４とともに剥離紙１０３から剥がされる。所望の図形を担持するアプリケーションシート１０４をそのまま図形を貼り付けたいところにくっつけた後、アプリケーションシート１０４を剥がすことにより、所望の図形が貼り付けたいところに転写されて、ウインドウディスプレイやキャッチコピーの貼着が簡便に行われる。
【００４０】
なお、上記装飾用粘着シートをカッティングした後、ウインドウディスプレイなどの施工を行う方法は、第１実施例の方法によりカットラインデータの設定を行った後、このデータに基づき装飾用粘着シートをカッティングした場合も同様である。また、デザインが複数の色からなる場合には、各色の位置合わせに留意しながら上記施工法を各色毎に繰り返し行えば良い。
【００４１】
一方、本発明の装飾用粘着テープのカットラインデータ作成方法及び装飾用粘着テープのカッティング方法においては、デザイン素材となる複数の図形の画像データ及びこの図形のカットラインデータ、更に必要に応じ本発明の各方法をコンピュータに実行させるために必要とされる手順が格納された記憶媒体が用いられる。この記憶媒体に格納されたデザイン素材となるイラスト図形及びワード図形の画像データ及びこの図形のカットラインデータは、イラスト図形及びワード図形の何れについても全色からなる図形のカットラインデータと各色毎のカットラインデータ及びこのカットラインデータに基づく全色の図形の画像データ及び各色毎のカット図形の画像データが格納されている。これら階層化されたデータの作成の一例を、図６及び図７を参照して説明する。
【００４２】
図６（ａ）が、イラスト素材となるデザイナーにより作成された「獅子舞」のイラスト画であるとする。このイラスト画は、獅子の胴体部６１は緑色に螺旋の白の模様、顔６２は赤色、耳６３、眉６４、目の輪郭６５、鼻の輪郭６６、歯の輪郭６７は黒色、目の中及び歯の部分は白で構成されている。デザイナーにより作成されたイラスト画がデジタルデータとされていない場合は、画像読取装置などでイラスト画像を読み取りデジタルデータ化する。次いで、デジタルデータ化されたイラスト画をコンピュータディスプレイ上に表示し、市販の描画ソフトを用いて緑〔図７（ｂ）参照〕、赤〔図７（ｃ）参照〕、白〔図７（ｄ）参照〕、黒〔図７（ｅ）参照〕の各色毎に輪郭線を描き、各色毎の輪郭線（カットライン）を作成し、これらを必要に応じ別々のファイルに保存、格納する。またこれら各色の輪郭線を合成して全色図形（ａ）の輪郭線を作成し、これも必要に応じ別のファイルに保存、格納する。輪郭線（カットライン）データの保存、格納はコンピュータのメモリ或いは光磁気ディスクなどの記憶媒体に行えばよい。また、各色及び全色の輪郭線図形をイラストの色に合わせてペインティングして各色毎の分割図形〔図６（ｂ）〜（ｅ）〕及び全色図形〔図６（ａ）〕を作成し、カットラインデータと同様に、画像ファイルとしてメモリなどに保存、格納する。
【００４３】
なお、既に述べたが、カットラインとしての輪郭線の作成は、単に図形の輪郭を忠実に再現すればよいというものではなく、カットマシンの刃の動きを想定し、カットマシンの刃がスムースに移動し、カッティング後の輪郭線が滑らかなラインとなるよう、細かい凹凸は例えば直線或いは滑らかな曲線となるように輪郭し、またカットされる図形の幅が細すぎるような場合には適当な幅となるように調整するなどの工夫が必要となる。得られた各カットライン及び色分割図形は、例えば図６及び図７に示されるように、全色データの下に各色データの色図形データ或いはカットラインデータが階層化され、縦に一覧表示されるようにアレンジされた後、これを１グループとしてファイルされる。他のイラスト図形或いはワード図形についても同様な作業が行われ、こうして作成された複数のイラスト図形或いはワード図形のデータをコードデータ及びインデックスデータとともにＣＤ−ＲＯＭなどに格納して、本発明の各方法の実施の際に用いられる装飾用粘着シートのカットライン作成の際のデザイン素材供給用のデータツールとして用いられる。
【００４４】
【発明の効果】
以上詳述したように、本発明によれば、商店のウインドウのディスプレイ、表示、販売促進用のキャッチコピー、或いは壁面の装飾、工事現場を取り囲むフェンスのディスプレイなどでイラスト図形或いはワード図形などとして良く利用されると考えられるイラスト或いはワードを予めこれらディスプレイのデザイン原画作成用の部品として電子データ化されて用意されているので、これらデザイン素材が格納された記憶媒体を用い、記憶媒体内に格納されたイラスト及び図形をコンピュータ画面上で組み合わせることで、従来のようにデザイナーにデザインを依頼することなく、施工業者或いは発注者が簡単に且つ自分のイメージに合ったデザインを作成することができる。また、本発明においては、装飾用粘着シートのカットラインデータもデザイン原画の作成と同時に作成されるため、デザイン原画のカットラインデータを作成する必要が無く、カットラインデータを作成する手間が省けるとともに、誰にでも簡単に装飾用粘着シートを用いたディスプレイ、或いは広告表示などを行えるという効果がある。
【００４５】
また、画像合成などの必要が無い場合には、図形のコード番号などを選択するのみで、誰にでも簡単に装飾用粘着シートに希望するイラスト或いはワードのカッティングを施すことができるという効果がある。
【図面の簡単な説明】
【図１】図１は、本発明の第１の実施例である装飾用粘着シートのカットラインデータ作成装置の概略構成ブロック図である。
【図２】図２は、図１のカットラインデータ作成装置の動作フローチャートの一例である。
【図３】図３は、表示装置上でのデザイン素材のインデックス表示例である。
【図４】図４は、図３のサブタイトルをクリックした場合に表示装置に表示される、デザイン素材であるイラスト図形及びワード図形の表示例である。
【図５】図５は、イラスト図形及びワード図形のサムネイル一覧ページ（お正月ページ）の表示例である。
【図６】図６は、イラスト図形の各色毎のカットラインデータに基づき階層化表示された色図形表示の一例である。
【図７】図７は、イラスト図形の全色及び各色毎のカットラインが階層化表示された、カットライン表示の一例である。
【図８】図８は、２つのデザイン素材の図形を用いて、デザイン原画を作成する説明図である。
【図９】図９は、本発明の第２実施例のカットマシンを用いてウインドウディスプレイを行う工程を説明する説明図である。
【図１０】第１０図は、装飾用粘着シートの断面図である。
【符号の説明】
１１      ＣＤ−ＲＯＭ
１２      メモリ
１３      表示装置
１４      ＣＰＵ
１５      入力装置
１６      プログラムメモリ
１７      プリンタ
１８      カットマシン
６１      「獅子舞」のイラスト画の胴体部（緑）
６２      「獅子舞」のイラスト画の顔（赤）
６３      「獅子舞」のイラスト画の耳（黒）
６４      「獅子舞」のイラスト画の眉（黒）
６５      「獅子舞」のイラスト画の目の輪郭（黒）
６６      「獅子舞」のイラスト画の鼻の輪郭（黒）
６７      「獅子舞」のイラスト画の歯の輪郭（黒）
９０      カットマシン
９１      フレキシブル磁気ディスク
９２      読み取り部
９３      コード番号入力部
９４      エンターキー
９５      スタートキー
９６      表示部
９７      ノブ
１００      装飾用粘着シート
１０１      合成樹脂シート層
１０２      粘着剤層
１０３      剥離紙
１０４      アプリケーションシート
【図１】
0005101773.tif 000002
【図２】
0005101773.tif 000003
【図３】
0005101773.tif 000004
【図４】
0005101773.tif 000005
【図５】
0005101773.tif 000006
【図６】
0005101773.tif 000007
【図７】
0005101773.tif 000008
【図８】
0005101773.tif 000009
【図９】
0005101773.tif 000010
【図１０】
0005101773.tif 000011